(57)【要約】【課題】印刷物から、当該印刷物を作成した装置を簡単に特定することができる印刷装置およびテープ印刷装置を提供する。【解決手段】装置自身を特定するための特定情報７１を登録する特定情報登録手段と、１以上のキャラクターからなるキャラクター列を入力させる入力手段３と、入力されたキャラクター列に基づく印刷データを印刷媒体Ｔに印刷する印刷手段４３と、を備え、印刷手段４３は、入力されたキャラクター列に基づく印刷データと共に、特定情報７１を印刷する。また、印刷手段４３は、前記印刷データと特定情報７１とを、印刷媒体の異なる印刷領域に印刷する。【選択図】図８
2010214787.tif 000002
【特許請求の範囲】
【請求項１】
装置自身を特定するための特定情報を登録する特定情報登録手段と、
１以上のキャラクターからなるキャラクター列を入力させる入力手段と、
入力された前記キャラクター列に基づく印刷データを印刷媒体に印刷する印刷手段と、を備え、
前記印刷手段は、
前記印刷データと共に、前記特定情報を印刷することを特徴とする印刷装置。
【請求項２】
前記印刷手段は、
前記印刷データを、前記印刷媒体の第１の印刷領域に印刷し、
前記特定情報を、前記印刷媒体の前記第１の印刷領域とは異なる第２の印刷領域に印刷することを特徴とする請求項１に記載の印刷装置。
【請求項３】
前記印刷媒体は、被印刷層と剥離層とによる階層構造であり、
前記印刷媒体の前記被印刷層のみを切断するハーフカット手段をさらに備え、
前記印刷媒体の前記第１の印刷領域と前記第２の印刷領域とは、前記ハーフカット手段による切断部分により領域分けされることを特徴とする請求項２に記載の印刷装置。
【請求項４】
前記特定情報を印刷するか否かを設定する特定情報印刷設定手段をさらに備えたことを特徴とする請求項１ないし３のいずれか１項に記載の印刷装置。
【請求項５】
前記印刷媒体に、前記特定情報のみを印刷する特定情報印刷手段をさらに備えたことを特徴とする請求項１ないし４のいずれか１項に記載の印刷装置。
【請求項６】
印刷装置の電源投入時に、前記特定情報を表示画面に表示する特定情報表示手段をさらに備えたことを特徴とする請求項１ないし５のいずれか１項に記載の印刷装置。
【請求項７】
請求項１ないし６のいずれか１項に記載の印刷装置における各手段を備え、前記印刷媒体がテープであることを特徴とするテープ印刷装置。
【発明の詳細な説明】
【技術分野】
【０００１】
本発明は、入力された１以上のキャラクターからなるキャラクター列に基づく印刷データを印刷媒体に印刷する印刷装置およびテープ印刷装置に関するものである。
【背景技術】
【０００２】
従来、ユーザーが作成したラベルのテキストデータを、装置本体にファイルとして登録（保存）することができるテープ印刷装置が知られている。このテープ印刷装置では、ユーザーがテキストを入力した後、所定のキー操作を行うことにより当該テキストのデータをファイル登録する。また、登録したファイルは、所定のキー操作によりユーザーが所望するタイミングで呼び出すことができる。これにより、例えば、以前に作成した印刷物を再度印刷するような場合、その印刷物の内容を再入力することなく、ファイルを呼び出すのみで印刷することができるため、利便性がよい（例えば、非特許文献１参照）。
【先行技術文献】
【非特許文献】
【０００３】
【非特許文献１】「テプラ」ＰＲＯ  ＳＲ８２８  取扱説明書、第２版（１９９８年７月発行）、ｐ．１２２−ｐ．１２３
【発明の概要】
【発明が解決しようとする課題】
【０００４】
ところで、過去に作成したラベルと同じ内容のラベルや、似通った内容のラベルを作成する場合、テープ印刷装置にそのラベルの印刷データが残っていれば、その印刷データを利用することで容易に所望のラベルを作成することができる。例えば、ユーザーが、上記のようなファイル登録／呼出機能を有するテープ印刷装置を使用する場合、対象となる印刷データがファイルとして保存されていれば、そのファイルを呼び出してそのまま印刷するか、もしくはその内容を若干変えて所望のラベルを作成することが一般的である。
しかしながら、オフィスなどに複数台のテープ印刷装置がある場合、過去に作成したラベルが、どのテープ印刷装置で作成されたものか（どのテープ印刷装置に保存されているのか）が分からないことがある。この場合、たとえ過去に作成したラベルの現物があって、そのデータがファイル登録されていたとしても、ユーザーは、一から新規に印刷データを作成しなければならず、手間がかかり不便であるという問題がある。
【０００５】
本発明は、上記の問題に鑑みたものであり、印刷物から、当該印刷物を作成した装置を簡単に特定することができる印刷装置およびテープ印刷装置を提供することを目的とする。
【課題を解決するための手段】
【０００６】
本発明の印刷装置は、装置自身を特定するための特定情報を登録する特定情報登録手段と、１以上のキャラクターからなるキャラクター列を入力させる入力手段と、入力されたキャラクター列に基づく印刷データを印刷媒体に印刷する印刷手段と、を備え、印刷手段は、印刷データと共に、特定情報を印刷することを特徴とする。
【０００７】
この構成によれば、印刷装置に自身を特定するための特定情報（装置の本体名）を登録し、この特定情報を印刷媒体に印刷する。これにより、印刷物（ラベル）から、当該印刷物を作成した装置を特定することができる。例えば、オフィスなどに複数台の印刷装置がある場合でも、過去に作成した印刷物を見るだけで、どの印刷装置で作成したものかを把握することができるため、同じ内容、あるいは類似する内容の印刷物を作成する際に、該当する印刷装置に記憶されているデータを利用することができ、容易に所望の印刷物を作成することができる。
また、ユーザーが所望の特定情報を登録することができるため、分かり易い文言を登録することで、例えば、印刷装置のシリアル番号や機種名を特定情報として利用する場合に比べ、容易に印刷装置を特定することができ、利便性が良い。
なお、特定情報は、他の印刷装置と区別できる情報であれば良く、例えば、当該装置を使用する部署名（営業−１、営業−２・・・等）でも良いし、あるいは記号等でも良い。
【０００８】
本発明の印刷装置において、印刷手段は、印刷データを、印刷媒体の第１の印刷領域に印刷し、特定情報を、印刷媒体の第１の印刷領域とは異なる第２の印刷領域に印刷することが好ましい。
【０００９】
この構成によれば、印刷データと異なる領域に特定情報を印刷する。例えば、特定情報を印刷媒体の余白部分に印刷することで、印刷データの印刷内容の見栄えを損なうことなく、装置の本体名を印刷することができる。
【００１０】
本発明の印刷装置において、印刷媒体は、被印刷層と剥離層とによる階層構造であり、印刷媒体の被印刷層のみを切断するハーフカット手段をさらに備え、印刷媒体の前記第１の印刷領域と前記第２の印刷領域とは、ハーフカット手段による切断部分により領域分けされることが好ましい。
【００１１】
この構成によれば、印刷データの印刷領域と、特定情報の印刷領域と、をハーフカット手段による切断部分（以下、「ハーフカットライン」と称す）を境に分離することができるため、印刷データの印刷内容の見栄えを損なうことがない。
【００１２】
本発明の印刷装置において、特定情報を印刷するか否かを設定する特定情報印刷設定手段をさらに備えたことが好ましい。
【００１３】
この構成によれば、ユーザーのニーズにより、特定情報を印刷するか、印刷しないかを設定できるため、利便性が良い。
【００１４】
本発明の印刷装置において、印刷媒体に、特定情報のみを印刷する特定情報印刷手段をさらに備えたことが好ましい。
【００１５】
この構成によれば、特定情報のみの印刷を簡単に行うことができるため、例えば、印刷装置本体に貼付するための印刷物（装置名が印刷されたラベル）を簡単に作成でき、利便性が良い。
【００１６】
本発明の印刷装置において、印刷装置の電源投入時に、特定情報を表示画面に表示する特定情報表示手段をさらに備えたことが好ましい。
【００１７】
この構成によれば、例えば、電源投入時のオープニング画面に印刷装置に登録された名称（特定情報）を表示することで、ユーザーは自身が使用する装置の名称を容易に把握することができる。
【００１８】
本発明のテープ印刷装置は、上記に記載の印刷装置における各手段を備え、印刷媒体がテープであることを特徴とする。
【００１９】
この構成によれば、テープ印刷装置に自身を特定するための特定情報（テープ印刷装置の本体名）を登録し、この特定情報をテープに印刷することが可能なテープ印刷装置を提供することができる。
【図面の簡単な説明】
【００２０】
【図１】本発明の一実施形態に係るテープ印刷装置の開蓋状態における外観斜視図である。
【図２】テープ印刷装置の制御ブロック図である。
【図３】環境設定メニューおよび印刷設定メニューを説明する図である。
【図４】本体名の登録処理の手順および本体名のみを印刷したラベルを示す図である。
【図５】オープニング画面の表示処理の手順を説明するフローチャートである。
【図６】オープニング画面の表示内容を示す図である。
【図７】ラベルの印刷内容について説明する図である。
【図８】ラベル作成処理の手順について説明するフローチャートである。
【発明を実施するための形態】
【００２１】
以下、本発明の一実施形態について、添付図面を参照しながら詳細に説明する。本発明の印刷装置は、自身を特定するための特定情報（本体名）を登録し、これを印刷媒体に印刷するものである。なお、本実施形態では、印刷装置として、テープ状媒体に印刷を行うことによってラベルを作成するテープ印刷装置を例に挙げて説明する。
【００２２】
図１は、本実施形態に係るテープ印刷装置１の開閉蓋４を開いた状態の外観斜視図である。図１に示すようにテープ印刷装置１は、装置ケース２により外装が形成され、装置ケース２の前部上面には各種入力キーを備えたキーボード３（入力手段）が配置されると共に、後部上面には、その左部に開閉蓋４が取り付けられ、その右部には表示画面５が配設されている。開閉蓋４の内側にはテープカートリッジＣを装着するためのカートリッジ装着部６が窪入形成されており、テープカートリッジＣは、開閉蓋４を開放した状態でカートリッジ装着部６に着脱可能に装着される。また、開閉蓋４にはこれを閉じた状態でテープカートリッジＣの装着／非装着を視認するための覗き窓７が形成されている。
【００２３】
キーボード３には、文字キー群３ａ、および各種動作モード等を指定するための機能キー群３ｂが配列されている。文字キー群３ａは、ＪＩＳ配列に基づいたフルキー構成であり、操作するキー数の増加を抑えるためのシフトキーを備えるなど、一般のワードプロセッサー等と同様である。機能キー群３ｂには、［印刷］キー１１、カーソルキー１２、[選択]キー１３、［環境設定］キー１４、［印刷設定］キー１５、[電源]キー１６などが含まれる。なお、これらのキー入力は、一般的なキーボードと同様に、キー入力毎に個別にキーを設けても良いし、シフトキー等と組み合わせてより少ない数のキーを用いて入力するようにしても良い。
【００２４】
［印刷］キー１１は、印刷実行を指示するためのキーである。カーソルキー１２は、上下左右キー（［↑］，［↓］，［←］，［→］）から成り、カーソル移動やスクロール操作を行うためのキーである。［選択］キー１３は、選択候補（選択肢）の選択および確定操作を行うためのキーである。[電源]キー１６は、電源のオン／オフ操作を行うためのキーである。
【００２５】
一方、［環境設定］キー１４は、テープ印刷装置１の各種環境設定を行うためのキーである。詳細は後述するが、本実施形態では、図７（ｂ）ないし（ｅ）に示すようなラベルＬに印刷されるテープ印刷装置１を特定するための名称（特定情報，以下、「本体名７１」と称す。）の登録、および図６（ａ）に示すようなオープニング画面５ａに本体名７１を表示するための設定を行うために用いられる。
【００２６】
また、［印刷設定］キー１５は、テープ印刷装置１の各種印刷設定を行うためのキーである。本実施形態では、テープ印刷装置１に登録された本体名７１の印刷に関する設定を行うために用いられる（詳細は後述する）。
【００２７】
表示画面５は、液晶ディスプレイで形成されている。表示画面５は、ユーザーがキーボード３により所望のテキスト（文字、数字、記号、簡易図形等のキャラクター）や画像を入力して、テキストデータや画像データ等の印刷データを作成・編集したり、その結果等を視認（確認）したりする際に用いられる。
【００２８】
装置ケース２の左側部には、カートリッジ装着部６と外部とを連通するテープ排出口２１が形成され、このテープ排出口２１には、送り出した印刷テープＴ（印刷媒体）を切断するためのテープカッター２２が臨んでいる。そして、テープ排出口２１から印刷済みの印刷テープＴが所定長さだけ送り出され、送りを一旦停止させた状態で、この印刷済みの印刷テープＴをテープカッター２２により切断することにより、短冊状のラベルを作成する。
【００２９】
このテープカッター２２は、印刷テープＴの送り経路に臨んで上流側に配設されたフルカッター５２と、下流側に配設されたハーフカッター５４（ハーフカット手段）と、により構成されている（いずれも図２参照）。フルカッター５２は、後述する印刷テープＴの記録テープＴａ（非印刷層）と剥離テープＴｂ（剥離層）との双方をカットするものであり（以下、「フルカット」と称す。）、例えば、印刷テープＴからその印刷済み部分を切り離すためのものである。一方、ハーフカッター５４は、印刷テープＴの記録テープＴａのみをカットするものであり（以下、「ハーフカット」と称す。）、印刷テープＴとしては剥離テープＴｂを介して連結した状態のまま残すためのものである。なお、ハーフカットを「する」／「しない」の設定は、印刷設定メニュー（[印刷設定]キー１５の押下で表示されるメニュー）で設定することができ、デフォルトの設定は、「しない」に設定されている。
【００３０】
一方、カートリッジ装着部６には、ヘッドカバー２５内にサーマルタイプの印刷ヘッド２６が内蔵されたヘッドユニット２４と、印刷ヘッド２６に対峙するプラテン駆動軸２７と、後述のインクリボンＲを巻き取る巻き取り駆動軸２８と、後述のテープリール３２の位置決め突起２９とを備えている。また、カートリッジ装着部６の下側には、プラテン駆動軸２７および巻き取り駆動軸２８を回転させるテープ送りモーター３０（図２参照）が内蔵されている。
【００３１】
テープカートリッジＣは、カートリッジケース３１内部の上部中央部に、一定の幅（４ｍｍ〜４８ｍｍ程度）の印刷テープＴを巻回したテープリール３２と、右下部にインクリボンＲを巻回したリボンリール３３とを収容して構成されており、印刷テープＴとインクリボンＲは同じ幅で構成されている。また、テープリール３２の左下部には前記ヘッドユニット２４が差し込まれるための貫通孔３４が形成されている。さらに、貫通孔３４にヘッドユニット２４が差し込まれた状態で、当該ヘッドユニット２４に内蔵された印刷ヘッド２６に対し、印刷テープＴとインクリボンＲとが重なる部分を挟んで対向する位置に、前記プラテン駆動軸２７に嵌合されて回転駆動するプラテンローラー３５が配設されている。一方、前記リボンリール３３に近接してリボン巻き取りリール３６が配置され、リボンリール３３から繰り出されたインクリボンＲは、ヘッドカバー２５を周回するように配置され、リボン巻き取りリール３６に巻き取られるようになっている。
【００３２】
テープカートリッジＣがカートリッジ装着部６に装着されると、ヘッドカバー２５に貫通孔３４が、位置決め突起２９にテープリール３２の中心孔が、巻き取り駆動軸２８にリボン巻き取りリール３６の中心孔がそれぞれ差し込まれ、印刷テープＴおよびインクリボンＲを挟み込んで印刷ヘッド２６がプラテンローラー３５に当接して印刷が可能になる。その後、ユーザーが表示画面５の編集結果を確認しながらキーボード３により所望のテキスト（文字、数字、記号、簡易図形等のキャラクター）や画像を入力し、印刷を指示すると、テープ印刷装置１は、テープ送りモーター３０によりテープカートリッジＣから印刷テープＴを繰り出し、印刷ヘッド２６の発熱素子を選択的に発熱させることにより印刷テープＴに所望の印刷を行う。印刷テープＴの印刷済み部分はテープ排出口２１から随時外部に送り出され、印刷を完了すると、テープ送りモーター３０は、余白分を含むテープ長さの位置まで印刷テープＴの送りを行った後、その送りを停止する（その後、切断処理に移行する）。
【００３３】
一方、印刷テープＴは、裏面に粘着剤層が形成された記録テープＴａと、この粘着剤層により記録テープＴａに貼り付けられた剥離テープＴｂとから構成されている。つまり、印刷テープＴは、記録テープＴａと剥離テープＴｂとによる階層構造になっている。そして、印刷テープＴは、記録テープＴａを外側にし、かつ剥離テープＴｂを内側にしてロール状に巻回されてカートリッジケース３１内に収容されている。また、印刷テープＴは、テープ種別（テープ幅、テープの地色、地模様、材質（質感）など）が異なる複数種のものが用意されており、各カートリッジケース３１には、このうち１種類の印刷テープＴおよびインクリボンＲが収容されている。また、カートリッジケース３１の裏面にはテープカートリッジＣの種別を特定する複数の孔（図示省略）が設けられている。また、複数の孔に対応してカートリッジ装着部６には、これらを検出するテープ識別センサー（マイクロスイッチ等）３７（図２参照）が、複数設けられており、このテープ識別センサー３７により複数の孔の状態を検出することで、テープ種別を判別できるようになっている。
【００３４】
次に、図２の制御ブロック図を参照し、テープ印刷装置１の制御構成について説明する。テープ印刷装置１は、操作部４１、検出部４２、印刷部４３（印刷手段）、切断部４４、駆動部４５、およびこれら各部と接続して、テープ印刷装置１全体を制御する制御部４０を有している。
【００３５】
操作部４１は、キーボード３からの入力・編集や設定および表示画面５への表示等、ユーザーインターフェイスとして機能する。キーボード３は、ユーザーが所望のテキストや画像を入力するための入力手段として機能する。また、キーボード３は、本体名７１の登録手段、本体名７１の印刷に関する印刷設定手段、およびオープニング画面５ａへの本体名７１の表示に関する設定を行う表示設定手段としても機能する。なお、これらの登録や設定は、後述の環境設定メニューおよび印刷設定メニュー（いずれも図３参照）で行う。表示画面５は、入力・編集結果や設定結果等の各種情報の表示の他、テープ印刷装置１の電源オン時に、オープニング画面５ａを表示する表示手段として機能する。
【００３６】
検出部４２は、上述したテープ識別センサー３７を有し、印刷テープＴ（テープカートリッジＣ）の種別を検出する。印刷部４３は、印刷ヘッド２６およびテープ送りモーター３０を有し、印刷テープＴおよびインクリボンＲを搬送しながら印刷テープＴ上に、生成された印刷データに基づく印刷を行う。
【００３７】
切断部４４は、印刷テープＴをフルカットするフルカッター５２およびこれを駆動するフルカッターモーター５１と、印刷テープＴをハーフカットするハーフカッター５４およびこれを駆動するハーフカッターモーター５３と、を有している。そして、これらフルカッター５２およびハーフカッター５４により、印刷部４３で印刷処理済みの印刷テープＴを所定の長さになるように切断し、ラベルを作成する。駆動部４５は、ディスプレイドライバー５５、ヘッドドライバー５６、テープ送りモータードライバー５７およびカッターモータードライバー５８を有し、各部を駆動する。
【００３８】
制御部４０は、ＣＰＵ（Central Processing Unit）６１、ＲＯＭ（Read Only Memory）６２、ＲＡＭ（Random Access Memory）６３、フラッシュＲＯＭ６４、および入出力制御装置（以下、「ＩＯＣ：Input Output Controller」と称する）６５を備え、これらは互いに内部バス６６により接続されている。
【００３９】
ＲＯＭ６２は、ＣＰＵ６１が各種制御を行うための制御プログラムおよび制御データを記憶している。ＲＡＭ６３は、ＣＰＵ６１が各種処理を実行するための作業領域として使用される。
【００４０】
フラッシュＲＯＭ６４は、特定情報記憶領域６４ａを有している。特定情報記憶領域６４ａは、テープ印刷装置１を特定するための本体名７１が記憶されるための領域である。この本体名７１は、後述する環境設定メニュー（図３参照）で登録することができる。
【００４１】
ＣＰＵ６１は、ＲＯＭ６２内の各種制御プログラムに従って、ＩＯＣ６５を介してテープ印刷装置１内の各部から各種信号・データを入力する。また、入力された各種信号・データに基づいてＲＡＭ６３内の各種データを処理し、ＩＯＣ６５を介してテープ印刷装置１の各部に各種信号・データを出力することにより、入力編集処理や印刷切断処理の制御を行なう。
【００４２】
ところで、過去に作成したラベルと同じ内容のラベルや、似通った内容のラベルを作成する場合、テープ印刷装置にそのラベルの印刷データが残っていれば、その印刷データを利用することで容易に所望のラベルを作成することができる。しかしながら、オフィスなどに複数台のテープ印刷装置がある場合、過去に作成したラベルが、どのテープ印刷装置で作成されたものか（どのテープ印刷装置に保存されているのか）が分からないことがある。この場合、たとえ過去に作成したラベルの現物があって、そのデータがテープ印刷装置に保存されていたとしても、ユーザーは、一から新規に印刷データを作成しなければならず、手間がかかり不便であるという問題がある。この問題を解決すべく、本発明のテープ印刷装置１では、テープ印刷装置１の本体名７１を印刷したラベルの作成、およびオープニング画面５ａへの本体名７１の表示を行う機能を備えている。以下、図３ないし図８を参照して、具体的に説明する。
【００４３】
まず、図３を参照して、環境設定メニューおよび印刷設定メニューについて説明する。この環境設定メニューは、本体名７１の登録やオープニング画面５ａへの表示に関する設定を行うものである。また、印刷設定メニューは、本体名７１の印刷に関する設定を行うものである。図３に示すように、環境設定メニュー（［環境設定］キー１４の押下により表示されるメニュー）は、選択候補として「本体名登録（特定情報登録手段）」および「本体名表示」を有している。「本体名登録」は、ユーザーにより入力されたテキスト（文字、英数字、記号、簡易図形等のキャラクター）に基づいて、テープ印刷装置１を特定するための本体名７１を登録する。この本体名７１は、特定情報記憶領域６４ａに記録される。「本体名表示」は、選択候補として「する」／「しない」を有しており、オープニング画面５ａに本体名７１を表示するか否かを設定する（デフォルトは「しない」）。
【００４４】
一方、印刷設定メニュー（［印刷設定］キー１５の押下により表示されるメニュー）は、選択候補として「本体名印刷（特定情報印刷設定手段）」を有している。この「本体名印刷」は、「しない」／「ラベル内」／「ラベル外」の３つの選択候補を有している。「しない」に設定すると、本体名７１の登録の有無に関わらず、本体名７１を印刷しない。一方、「ラベル内」および「ラベル外」に設定すると、ラベルＬの所定の領域（位置）に本体名７１を印刷する（デフォルトは「しない」）。これにより、ユーザーのニーズにより、本体名７１の印刷をするか否か設定できるため、利便性が良い。
【００４５】
次に、図４を参照して、テープ印刷装置１を特定するための本体名７１の登録手順、および登録した本体名７１のみを印刷したラベルＬについて説明する。図４に示すように、ユーザーにより環境設定メニューから「本体名登録」が選択されると（Ｓ０１）、テープ印刷装置１（ＣＰＵ６１）は、本体名７１を入力するための本体名入力画面を表示する（Ｓ０２）。この本体名入力画面において、文字キー群３ａやカーソルキー１２の操作によって、ユーザーにより所望の本体名７１（ここでは、「営業―１」とする）が入力される（Ｓ０３）。このＳ０３の状態で、ユーザーにより[選択]キー１３が押下されると（Ｓ０４）、テープ印刷装置１は、入力された本体名７１を特定情報記憶領域６４ａに登録（記録）する（Ｓ０５）。
【００４６】
一方、Ｓ０３の状態で、ユーザーにより[印刷]キー１１が押下されると（Ｓ０６）、テープ印刷装置１は、入力された本体名７１のみを印刷テープＴに印刷する（Ｓ０７，特定情報印刷手段）。この結果として、図中のラベルＬ（「営業―１」のみが印刷されたラベルＬ）を作成することができる。このように、本体名７１のみの印刷を簡単に行うことができるため、例えば、テープ印刷装置１本体に貼付するためのラベルＬを簡単に作成でき、利便性が良い。
【００４７】
なお、本体名７１の印刷は、予め設定した特定のフォント（フォント種別およびサイズ）で印刷しても良いし、あるいは、ユーザーが好みに応じてフォントを指定するようにしても良い。また、上記Ｓ０３の状態で、[環境設定]キー１４や[印刷設定]キー１５など、本体名７１の入力や登録および印刷に関係のないキーが押下された場合には、本体名入力画面に無効なキーが押された旨を示すメッセージを表示したり、あるいは表示画面５を一時的に消去するようにして、ユーザーに対して警告する。
【００４８】
続いて、図５および図６を参照して、本体名７１をオープニング画面５ａに表示する手順について説明する。図５は、オープニング画面５ａの表示手順を示すフローチャートである。また、図６（ａ）は、本体名７１を表示したオープニング画面５ａを示す図であり、図６（ｂ）は、通常のオープニング画面５ａ（テープ印刷装置１の製造元が予め設定した画面）を示す図である。
【００４９】
図５に示すように、テープ印刷装置１の電源がオフの状態で、ユーザーにより[電源]キー１６が押下されると、テープ印刷装置１（ＣＰＵ６１）は電源をオンにする（Ｓ１１）。続いて、テープ印刷装置１は、環境設定メニューの「本体名表示」の設定を確認する。「本体名表示」が「する」に設定されている場合（Ｓ１２；Ｙｅｓ）、テープ印刷装置１は、図６（ａ）のように、オープニング画面５ａにテープ印刷装置１に登録された本体名７１を表示する（Ｓ１３，特定情報表示手段）。そして、所定時間経過後、自動的にテキスト画面を表示する（Ｓ１４）。
【００５０】
一方、「本体名表示」が「しない」に設定されている場合（Ｓ１２；Ｎｏ）、例え、本体名７１が登録されていたとしても、テープ印刷装置１は、図６（ｂ）のように、オープニング画面５ａに本体名７１を表示しない（Ｓ１５）。そして、所定時間経過後、自動的にテキスト画面を表示する（Ｓ１４）。図６（ａ）のように、電源オン時のオープニング画面５ａにテープ印刷装置１に登録された本体名７１を表示することで、ユーザーは自身が使用する装置の名称を容易に把握することができる。
【００５１】
次に、図７および図８を参照して、テープ印刷装置１によるラベルＬの作成について説明する。なお、ここでは、ユーザーが入力した、あるいはファイルから呼び出したテキストデータに基づいてラベルＬを作成する場合を例に挙げて説明する。
【００５２】
まず、図７を参照して、作成したラベルＬの一例について説明する。図７（ａ）は、テキストデータのみを印刷したラベルＬを示す図である。このラベルＬは、テキストデータが印刷される領域（以下、「テキスト印刷領域８１（点線の内側の領域，第１の印刷領域）」と称す。）およびそれ以外の領域（以下、「余剰領域８２（実線と点線との間の領域，第２の印刷領域）」と称す。）を有している。このテキスト印刷領域８１には対象となるテキストデータが印刷され、余剰領域８２には何も印刷されない。なお、便宜上、テキスト印刷領域８１および余剰領域８２をまとめて「ラベル領域８０」と定義する。
【００５３】
図７（ｂ）は、テキスト印刷領域８１に対象となるテキストデータが印刷され、余剰領域８２に本体名７１（ここでは、［営業−１］）が印刷されたラベルＬを示す図である。つまり、本体名７１を余剰領域８２に印刷することで、テキストデータの印刷内容の見栄えを損なうことなく、本体名７１をラベルＬの一部として印刷することができる。
【００５４】
図７（ｃ）は、テキスト印刷領域８１に、対象となるテキストデータおよび本体名７１が印刷されたラベルＬを示す図である。つまり、テープ印刷装置１は、本体名７１を印刷対象となるテキストデータの一部として印刷する。
【００５５】
図７（ｄ）は、ラベル領域８０の長手方向における前端に、当該ラベル領域８０とは別の領域（ラベル領域８０外の領域）として余白領域８３を設定し、この余白領域８３に本体名７１が印刷されたラベルＬを示す図である。このように、テキストデータが印刷されるラベル領域８０とは異なる領域（余白領域８３）に本体名７１を印刷することで、テキストデータの印刷内容の見栄えを損なうことがない。なお、この場合、請求項における第１の印刷領域はラベル領域８０に相当し、第２の印刷領域は余白領域８３に相当する。また、図中の点線は、ラベル領域８０と余白領域８３との境界を示すものであり、実際に印刷されるものではない。また、余白領域８３は、ラベル領域８０の長手方向における後端に設けても良い。
【００５６】
図７（ｅ）は、図７（ｄ）のラベル領域８０と余白領域８３との境界を、ハーフカットしたラベルＬを示す図である。つまり、ハーフカットライン８４を境に、右側の領域（ラベル領域８０）にテキストデータが印刷され、左側の領域（余白領域８３）に本体名７１が印刷されたラベルＬを示す図である。これにより、実際に貼付する領域（ラベル領域８０）と、本体名７１を印刷した領域（余白領域８３）と、を分離することができるため、テキストデータの印刷内容の見栄えを損なうことがない。
【００５７】
なお、図７に示すラベル領域８０（テキスト印刷領域８１および余剰領域８２）や余白領域８３のサイズは一例であり、これに限るものではない。また、図７（ｂ）ないし（ｅ）に示す本体名７１の印刷位置は一例であり、これに限るものではない。例えば、テキスト印刷領域８１内、余剰領域８２内、あるいは余白領域８３内の右側や左側、あるいは上側に印刷するようにしても良い。また、本体名７１は、テープ印刷装置１を特定することができれば良く、文字や英数字のみならず、記号や図形などでも良い。
【００５８】
続いて、図８のフローチャートを参照し、図７に示す各ラベルＬを印刷するための処理の手順について説明する。まず、ユーザーにより［印刷］キー１１が押下され、印刷が指示されると（Ｓ２１）、テープ印刷装置１（ＣＰＵ６１）は、印刷設定メニューの「本体名印刷」の設定を確認する（Ｓ２２）。ここで、「本体名印刷」で「なし」が設定されている場合（Ｓ２３）、テープ印刷装置１は、テキストデータから印刷データを作成し（Ｓ２４）、この印刷データに基づいてラベルＬ（図７（ａ）参照）を作成する（Ｓ２５）。つまり、本体名７１を印刷しない一般的なラベルＬを作成する。
【００５９】
一方、「本体名印刷」で「ラベル内」が設定されている場合（Ｓ２６）、テープ印刷装置１は、特定情報記憶領域６４ａに本体名７１が登録（記録）されているか否かを判別する（Ｓ２７）。判別の結果、本体名７１が登録されていない場合（Ｓ２８；Ｎｏ）、テープ印刷装置１は、テキストデータから印刷データを作成し（Ｓ２４）、この印刷データに基づいてラベルＬ（図７（ａ）参照）を作成する（Ｓ２５）。つまり、「ラベル内」が設定されていたとしても、印刷対象となる本体名７１が登録されていないため、テキストデータのみを印刷したラベルＬを作成する。
【００６０】
一方、判別の結果、本体名７１が登録されている場合（Ｓ２８；Ｙｅｓ）、テープ印刷装置１は、テキストデータおよび本体名７１に基づく印刷データを作成する。ここで、テープ印刷装置１の仕様として、「テキストデータと本体名７１とをラベルＬの異なる領域に印刷する」ように設定されている場合（Ｓ２９；Ｙｅｓ）、テープ印刷装置１は、まず、本体名７１の印刷データを作成し（Ｓ３０）、続いて、テキストデータから印刷データを作成する（Ｓ３１）。そして、テープ印刷装置１は、Ｓ３０およびＳ３１で作成した印刷データに基づいて、ラベルＬのテキスト印刷領域８１にテキストを印刷し、余剰領域８２に本体名７１を印刷したラベルＬ（図７（ｂ）参照）を作成する（Ｓ３２）。
【００６１】
一方、テープ印刷装置１の仕様として、「テキストデータと本体名７１とラベルＬの同一の領域に印刷する」ように設定されている場合（Ｓ２９；Ｎｏ）、テープ印刷装置１は、対象となるテキストデータに本体名７１を追加したデータを作成し、このデータに基づいて印刷データを作成する（Ｓ３３）。そして、テープ印刷装置１は、Ｓ３３で作成した印刷データに基づいて、テキスト印刷領域８１にテキストと本体名７１とを印刷したラベルＬ（図７（ｃ）参照）を作成する（Ｓ３４）。なお、本実施形態では、テキストデータと本体名７１とをラベルＬの異なる領域に印刷するか否かの設定は、予めテープ印刷装置１の仕様として設定されているものとしているが、これに限るものではなく、例えば、本体名７１の印刷に際し、ユーザーが印刷設定メニューで設定するようにしても良い。
【００６２】
一方、「本体名印刷」で「ラベル外」が設定されている場合（Ｓ３５）、テープ印刷装置１は、特定情報記憶領域６４ａに本体名７１が登録（記録）されているか否かを判別する（Ｓ３６）。判別の結果、本体名７１が登録されていない場合（Ｓ３７；Ｎｏ）、テープ印刷装置１は、テキストデータから印刷データを作成し（Ｓ２４）、この印刷データに基づいてラベルＬ（図７（ａ）参照）を作成する（Ｓ２５）。つまり、「ラベル外」が設定されていたとしても、印刷対象となる本体名７１が登録されていないため、テキストデータのみを印刷したラベルＬを作成する。
【００６３】
一方、判別の結果、本体名７１が登録されている場合（Ｓ３７；Ｙｅｓ）、テープ印刷装置１は、本体名７１の印刷データを作成する（Ｓ３８）。続いて、テープ印刷装置１は、テキストデータから印刷データを作成する（Ｓ３９）。次に、テープ印刷装置１は、ハーフカット設定を確認する。ハーフカット設定が「しない」に設定されている場合（Ｓ４０；Ｎｏ）、テープ印刷装置１は、Ｓ３８およびＳ３９で作成した印刷データに基づいて、ラベル領域８０にテキストを印刷し、当該ラベル領域８０と連なった余白領域８３に本体名７１を印刷したラベルＬ（図７（ｄ）参照）を作成する（Ｓ４１）。一方、ハーフカット設定が「する」に設定されている場合（Ｓ４０；Ｙｅｓ）、テープ印刷装置１は、Ｓ３８およびＳ３９で作成した印刷データに基づいて、ラベル領域８０にテキストを、余白領域８３に本体名７１を印刷し、これら領域８０、８３をハーフカットにより分離可能に形成したラベルＬ（図７（ｅ）参照）を作成する（Ｓ４２）。
【００６４】
以上のように、本実施形態によれば、テープ印刷装置１に自身を特定するための本体名７１（特定情報）を登録し、この本体名７１を印刷したラベルＬを作成する。これにより、ラベルＬから、当該ラベルＬを作成したテープ印刷装置１を特定することができる。例えば、オフィスなどに複数台のテープ印刷装置１がある場合でも、過去に作成したラベルＬを見るだけで、どのテープ印刷装置１で作成したものかを把握することができるため、同じ内容、あるいは類似する内容のラベルＬを作成する際に、該当するテープ印刷装置１に記憶されているデータを利用することができ、容易に所望のラベルＬを作成することができる。
【００６５】
また、ユーザーが所望の本体名７１を登録することができるため、分かり易い文言を登録することで、例えば、テープ印刷装置１のシリアル番号や機種名をラベルＬに印刷する場合に比べ、容易にテープ印刷装置１を特定することができ、利便性が良い。
【００６６】
また、上述した実施例によらず、テープ印刷装置１の装置構成や処理工程等について、本発明の要旨を逸脱しない範囲で、適宜変更も可能である。
【符号の説明】
【００６７】
１…テープ印刷装置  ３…キーボード  ５…表示画面  ４３…印刷部  ５４…ハーフカッター  ７１…本体名  ８０…ラベル領域  ８１…テキスト印刷領域  ８２…余剰領域  ８３…余白領域  ８４…ハーフカットライン  Ｔ…印刷テープ  Ｔａ…記録テープ  Ｔｂ…剥離テープ  Ｌ…ラベル
【図１】
2010214787.tif 000003
【図２】
2010214787.tif 000004
【図３】
2010214787.tif 000005
【図４】
2010214787.tif 000006
【図５】
2010214787.tif 000007
【図６】
2010214787.tif 000008
【図７】
2010214787.tif 000009
【図８】
2010214787.tif 000010